(57)【要約】【課題】エアホースと連結されるエアプラグが圧縮空気工具の端部から長く後方側へ突出することがないように自在回転継ぎ手をエンドキャップに組み込む。【解決手段】エンドキャップ２０に開口２６を形成し、開口２６の方向に沿った第一の軸線Ｌ１方向に向けた開口３８が形成された中空状のプラグハウジング３７と、一端側がプラグハウジング３７に第一の軸線Ｌ１上で回転可能に保持されるとともに他端側に第一の軸線Ｌ１と所定角度で傾斜した第二の軸Ｌ２方向に延びた開口４５が形成された中間スリーブ４０と、一端側が中間スリーブ４０に第二の軸線Ｌ２上で回転自在に保持されるとともに他端側に第二の軸線Ｌ２と所定角度で傾斜したニップル部４９が形成されたプラグ部２５とにより自在回転継ぎ手を構成し、この自在回転継ぎ手のプラグハウジング３７をエンドキャップ２０の開口２６内に装着したことを特徴とする。【選択図】図４
2005219194.tif 000002
【特許請求の範囲】
【請求項１】
工具内に圧縮空気を貯留するエアチャンバが形成されるとともに、一端が圧縮空気供給源に接続されたホースの他端側を着脱自在に接続するようにしたエンドキャップを備え、該エンドキャップを経由してエアチャンバ内へ供給された圧縮空気により駆動させるようにした圧縮空気工具において、前記エアチャンバを大気と遮断させるように工具に装着されたエンドキャップにエアチャンバの内外を連通させた開口を形成し、前記開口の方向に沿った第一の軸線方向に向けた開口が形成された中空状のプラグハウジングと、一端側が該プラグハウジングの開口内に前記第一の軸線上で回転可能に保持されるとともに他端側に前記第一の軸線と所定角度で傾斜した第二の軸線方向に延びた開口が形成された中空状の中間スリーブと、一端側が前記中間スリーブの開口内に前記第二の軸線上で回転自在に保持されるとともに他端側に前記第二の軸線と所定角度で傾斜した方向に延びたプラグ保持部が形成されているプラグ部とにより自在回転継ぎ手を構成し、この自在回転継ぎ手のプラグハウジングをエンドキャップに形成した前記開口内に装着したことを特徴とする圧縮空気工具のエンドキャップ。
【請求項２】
前記自在回転継ぎ手を構成しているプラグ部のプラグ保持部にエアホースに取り付けられているソケットに対して着脱可能に装着できるエアプラグを一体に形成したことを特徴とする請求項１に記載の圧縮空気工具のエンドキャップ。
【発明の詳細な説明】
【技術分野】
【０００１】
この発明は、エアコンプレッサ等の圧縮空気供給源からエアホースを介して供給される圧縮空気によって作動する圧縮空気工具に関するものであり、特に圧縮空気供給源に一端側が接続されているエアホースの他端側を圧縮空気工具に接続する流体継ぎ手を形成している圧縮空気工具のエンドキャップに関するものである。
【背景技術】
【０００２】
エアコンプレッサ等の圧縮空気供給源からエアホースを介して圧縮空気が供給されるようにした圧縮空気工具においては、工具を把持するグリップ部の端部に装着したエンドキャップにグリップ部の内外を貫通させる貫通孔を形成し、この貫通孔の外側部分へエアホースの一端に取り付けたソケットに装着されるエアプラグを取り付け、一端側が圧縮空気供給源に接続されたエアホースとエアプラグを連結して工具を作動させるための圧縮空気をエンドキャップの内部に形成されているエアチャンバへ供給するようにしている。このような圧縮空気工具とエアホースを接続する接続手段として、エンドキャップに取り付けるエアプラグの方向が自由に揺動できるようにされた自在回転継ぎ手として構成されたものが知られており、圧縮空気が充満することによって剛性が大きくなるエアホースを接続した状態で作業する工具の方向が自由に操作できて作業性を改善することが知られている。
【０００３】
従来の自在回転継ぎ手は、一端側に工具のエンドキャップの貫通孔に形成した雌ネジに螺合するための雄ネジが形成された中空状のスリーブ部が配置されており、他端側にはエアホースの端部に取り付けたソケット部に装着されるプラグを形成した中空状のプラグ部が配置され、上記スリーブ部とプラグ部との間に両端部で前記スリーブ部とプラグ部とを各々回転自在に連結保持させている中空状の中間体を介在させ、前記中間体のスリーブ部を回転自在に保持している回転軸線とプラグ部を回転自在に保持している回転軸線とを所定角度傾斜させて形成するとともに、更に、プラグ部のプラグの伸展方向を前記プラグ部の回転軸線方向と所定角度傾斜させて構成されている。
【特許文献１】特開２００３−１４８６６８号公報
【０００４】
このように構成された自在回転継ぎ手を、釘打機等の圧縮空気工具のグリップ部の端部に装着したエンドキャップに取り付け、この自在回転継ぎ手のプラグをエアホースの端部に取り付けられているソケットに装着して、エアホースへ供給された圧縮空気を自在回転継ぎ手を介して圧縮空気工具に供給して作業を行うようにしている。圧縮空気工具の向きを変える際にはプラグ部が工具に対して所定の角度の範囲で自由に揺動するので、圧縮空気が充満することによって剛性が高くなったエアホースによって圧縮空気工具の操作性が阻害されること無く作業が行えるようになる。
【発明の開示】
【発明が解決しようとする課題】
【０００５】
このような自在回転継ぎ手では、圧縮空気工具のグリップ部の端部に装着するエンドキャップに形成されている雌ネジ部へスリーブ部を螺着させて取り付けて使用するものであり、このスリーブ部とエアプラグを形成したプラグ部の間には両端でスリーブ部とプラグ部とを各々回転自在に保持させている中間体が介在されているため、ホースのソケット部に装着されるプラグの端部がエンドキャップの後方側の端面から長く後方側へ突出してしまい、例えば工具をエアプラグ側から落下させてしまった場合に自在回転継ぎ手の取り付け部に大きなモーメントが作用してネジ部が破損してしまうことがある。このため更にネジ部を補強したりする必要が生じて工具の重量やコストをあげてしまう。また、エアプラグの先端が後方へ長く突出されているとエアホース側のソケットへエアプラグを装着する操作が行い難くなるという問題も発生していた。
【０００６】
本発明は、上記従来技術における問題点を解決して、エアホースと連結されるエアプラグが圧縮空気工具の端部から長く後方側へ突出することがなく自在回転継ぎ手を組み込むことができる圧縮空気工具のエンドキャップを提供することを課題とする。
【課題を解決するための手段】
【０００７】
上記課題を解決するため本発明の圧縮空気工具のエンドキャップは、工具内に圧縮空気を貯留するエアチャンバが形成されるとともに、一端が圧縮空気供給源に接続されたホースの他端側を着脱自在に接続するようにしたエンドキャップを備え、該エンドキャップを経由してエアチャンバ内へ供給された圧縮空気により駆動させるようにした圧縮空気工具において、前記エアチャンバを大気と遮断させるように工具に装着されたエンドキャップにエアチャンバの内外を連通させた開口を形成し、前記開口の方向に沿った第一の軸線方向に向けた開口が形成された中空状のプラグハウジングと、一端側が該プラグハウジングの開口内に前記第一の軸線上で回転可能に保持されるとともに他端側に前記第一の軸線と所定角度で傾斜した第二の軸線方向に延びた開口が形成された中空状の中間スリーブと、一端側が前記中間スリーブの開口内に前記第二の軸線上で回転自在に保持されるとともに他端側に前記第二の軸線と所定角度で傾斜した方向に延びたプラグ保持部が形成されているプラグ部とにより自在回転継ぎ手を構成し、この自在回転継ぎ手のプラグハウジングをエンドキャップに形成した前記開口内に装着したことを特徴とする。
【０００８】
また、請求項２の発明は、自在回転継ぎ手を構成しているプラグ部のプラグ保持部にエアホースに取り付けられているソケットに対して着脱可能に装着できるエアプラグを一体に形成したことを特徴とする。
【発明の効果】
【０００９】
本発明によれば、エアチャンバを大気と遮断させるように工具に装着されたエンドキャップにエアチャンバの内外を連通させた開口を形成し、前記開口の方向に沿った第一の軸線方向に開口が形成された中空状のプラグハウジングと、該プラグハウジングによって前記第一の軸線上で回転可能に保持されるとともに前記第一の軸線と所定角度で傾斜した第二の軸線方向に延びた開口が形成された中空状の中間スリーブと、前記中間スリーブの開口内で前記第二の軸線上で回転自在に保持されるとともに前記第二の軸線と所定角度で傾斜した方向に延びたプラグ保持部が一端側に形成されているプラグ部とにより自在回転継ぎ手を構成し、この自在回転継ぎ手のプラグハウジングをエンドキャップに形成した前記開口内に装着しているので、前記プラグ保持部にエアプラグを取り付けた状態で、工具に装着したエンドキャップの端面から後方側へ突出して配置されるエアプラグの突出寸法が大きくならず、工具をプラグ側から床面等に落下させてしまった場合でも、プラグの基部には大きなモーメントが掛からず、破損を防止できるとともに、小型軽量化が可能となる。
【００１０】
また、請求項２の発明によれば、前記プラグ部のプラグ保持部にエアホースに取り付けられているソケットに対して着脱可能に装着できるエアプラグを一体に形成しているので、エアプラグの後方側への突出寸法を更に小さくすることが可能となり更に圧縮空気工具の小型軽量化が可能となる。
【発明を実施するための最良の形態】
【００１１】
本発明は、圧縮空気供給源に接続されているエアホースと連結されるエアプラグが圧縮空気工具の端部から長く後方側へ突出することがないように自在回転継ぎ手をエンドキャップに組み込むという目的を、エンドキャップに開口を形成し、このエンドキャップの開口の方向に沿った第一の軸線方向に向けた開口が形成された中空状のプラグハウジングと、一端側が該プラグハウジングに前記第一の軸線上で回転可能に保持されるとともに他端側に前記第一の軸線と所定角度で傾斜した第二の軸線方向に延びた開口が形成された中空状の中間スリーブと、一端側が前記中間スリーブに前記第二の軸線上で回転自在に保持されるとともに他端側に前記第二の軸線と所定角度で傾斜した方向に延びたプラグ保持部が形成されたプラグ部とにより自在回転継ぎ手を構成し、前記自在回転継ぎ手のプラグハウジングをエンドキャップに形成した前記開口内に装着することによって実現したものであり、更に具体的な実施例を以下に説明する。
【実施例１】
【００１２】
図１は本発明の実施例にかかる圧縮空気によって駆動される圧縮空気工具の一例としての釘打機１を示すものである。この釘打機１は、中空状に形成されたハウジング２を備えており、このハウジング２内に打撃シリンダ３とこの打撃シリンダ３内に摺動自在に収容されている打撃ピストン４及び、該打撃ピストン４の下面側に一体に結合されたドライバ５とにより構成されている打撃機構が収容されている。また、前記ハウジング２の下方には中空の射出口７が形成されたノーズ部６が取り付けられており、該ノーズ部６に形成された射出口７内に前記ドライバ５が摺動可能に案内されている。前記ノーズ部６の射出口７の後方側には互いに連結された連結釘を射出口７内へ導入するための開口８が形成されており、この開口８の一方の側縁に連続して釘供給ガイド９が連設されており、該釘供給ガイド９の後部には渦巻き状に巻回された連結釘を収容するマガジン１０が配置されている。マガジン１０内に収容された連結釘がマガジン１０から引き出されて前記釘供給ガイド９に沿って配置されている釘供給機構１１によって前記射出口７内へ順次供給されるようにされている。
【００１３】
前記ハウジング２には釘打機１を把持して作業するための後方側に延びた中空状のグリップ部１２が一体に形成されており、このグリップ部１２の内部が圧縮空気供給源から供給された圧縮空気を溜めるエアチャンバ１３として形成されている。前記打撃シリンダ４の上端にはメインバルブ１４が形成されており、該メインバルブ１４は打撃シリンダ４内をグリップ部１２内に形成されているエアチャンバ１３内と大気に開放されている排気口１５間を選択的に接続するようにされている。メインバルブ１４が打撃シリンダ４内をエアチャンバ１３に接続することによりエアチャンバ１３内の圧縮空気が打撃シリンダ４内に導入されて打撃ピストン４が下方向に駆動されて打撃ピストン４に結合されたドライバ５が射出口７内に供給されている釘を打撃して打ち出すようにしている。グリップ部１２の基部には前記メインバルブ１４をコントロールするためのトリガバルブ１６が配置されており、該トリガバルブ１６はグリップ部１２を把持している手の指によって操作可能なトリガレバー１７により作動されて打撃シリンダ４をエアチャンバ１３と排気口１５間を選択的に接続させるように前記メインバルブ１４を作動させる。
【００１４】
中空状に形成されているグリップ部１２の開放されている後端部の内周面には雌ネジ１８が形成されており、この雌ネジ１８にエンドキャップ２０の外周面に形成されている雄ネジ部１９を螺合させることによって、エンドキャップ２０がグリップ部１２の端面に装着されている。エンドキャップ２０の外周面から外径方向に張り出し形成されている鍔部２２の基部に装着されたＯリング２３が前記鍔部２２とグリップ部１２の端部間に挟持されることによってグリップ部内の１２内に圧縮空気供給源から供給される圧縮空気を溜めるエアチャンバ１３が形成されている。エンドキャップ２０にはエンドキャップ２０を螺合操作する際にスパナ等の工具を係合させてエンドキャップ２０を回転させるための二面幅２１が形成されている。該エンドキャップ２０のエアチャンバ１３内側にはエアチャンバ１３内へ供給される圧縮空気中の塵埃等の異物を捕捉するための防塵フィルタ装置２４が形成されており、またエンドキャップ２０の後方側にはエアホースに接続されることによって圧縮空気をエアチャンバ１３内へ供給させるためのプラグ部２５が形成されている。
【００１５】
前記エンドキャップ２０にはエアチャンバ１３の内外を貫通させるように前後方向に向けたスリーブ状の開口２６が形成されており、該開口２６の前端側即ちエアチャンバ１３の側の端部内に前記防塵フィルタ装置２４が形成されている。防塵フィルタ装置２４は一端側が開放されている筒状のフィルタケース２８によって構成されており、このフィルタケース２８内にエアチャンバ１３内へ供給される圧縮空気を濾過させて砂や塵埃等の固形成分を捕捉するための防塵フィルタ２７が収容されている。フィルタケース２８の外周面に形成された外方フランジ部２９の基部に装着されているＯリング３０が前記エンドキャップ２０の開口２６端部に形成されている内方フランジ部３１に密着されることによって、フィルタケース２８が前記開口２６に取り付けられるとともにこのフィルタケース２８によってエアチャンバ１３内と大気との間が密封されている。一端側が開口された筒状に形成されている前記フィルタケース２８の他端側の端面と円筒壁面にフィルタケース２８の内外を連通させるように複数個の給気口３２が形成されており、フィルタケース２８の一端側に供給された圧縮空気が給気口３２を経由してエアチャンバ１３内に供給される際に、フィルタケース２８内に配置されている防塵フィルタ２７を透過してこの防塵フィルタ２７によって砂や塵埃等を捕捉し、これらの異物がエアチャンバ１３内へ供給されるのを阻止するように作用する。
【００１６】
更に、前記フィルタケース２８はエアチャンバ１３内に供給された圧縮空気等の圧力が釘打機１を駆動させる通常の圧力よりも高い圧力になったときにエアチャンバ１３内の高圧の圧縮空気等を大気に放出させるように作動するリリーフバルブ機構３３を形成している。このため、フィルタケース２８はエンドキャップ２０に形成されているスリーブ状の開口２６内で摺動可能に配置されるとともに、エアチャンバ１３内に供給された圧縮空気がフィルタケース２８に作用してフィルタケース２８を後方側へ即ちＯリング３０を内方フランジ部３１から離反させる方向へ押圧させるようにしている。更にフィルタケース２８をバネ３４の弾力によって前方側へ向けて押圧付勢させており、通常時にはフィルタケース２８の外周面に装着されているＯリング３０が開口２６の内方フランジ部３１に密着してエアチャンバ１３内と大気との間を遮断させる位置へフィルタケース２８を配置させている。そして、エアチャンバ１３内の圧力が釘打機１を作動させる通常圧力域を越えたときに、この圧力がフィルタケース２８に作用してバネ３４の付勢力に抗してフィルタケース２８を後方側へ移動させ、Ｏリング３０を内方フランジ部３１から離反させて、エアチャンバ１３内を大気に連通させてエアチャンバ１３内の高圧の圧縮空気を排気させるようにしている。
【００１７】
図６及び図７に示すように、エンドキャップ２０に形成されている開口２６の後方端の内周面には雌ネジ３５が形成されており、このエンドキャップ２０の雌ネジ３５に外周面に雄ネジ３６が形成されているプラグハウジング３７が螺合して取り付けられている。中空状に形成されているプラグハウジング３７の前方側には、前記エンドキャップ２０に形成されている開口２６と同じ方向に延びている第一の軸線Ｌ１上に形成されている円筒状の開口３８が、また後方側にはこの開口３８より大きな内径の凹部３９が形成されており、この開口３８内に中空状に形成されている中間スリーブ４０の一端側が嵌合されて前記第一の軸線Ｌ１上で回転自在に保持されて設けられている。前記中間スリーブ４０の一端側が前記プラグハウジング３７の開口３８内に収容されるとともに、中間スリーブ４０の外周面に装着されているＯリング４１がプラグハウジング３７の開口３８の内周面に嵌合されることによってプラグハウジング３７と中間スリーブ４０との中空内が連通されるとともに、プラグハウジング３７の開口３８の内周面と中間スリーブ４０の外周面に形成された環状溝４２、４３内にスチールボールを収容させることによって中間スリーブ４０をプラグハウジング３７に対して自由に回転可能な状態に保持させている。
【００１８】
前記中間スリーブ４０の後方側には前記開口３８内に嵌合されている一端側より大きな外径のボス部４４が形成されており、このボス部４４がプラグハウジング３７の後方側に形成されている大きな内径の凹部３９内に配置されている。該中間スリーブ４０のボス部４４には前記第一の軸線Ｌ１と所定角度で傾斜した第二の軸線Ｌ２方向に延びた円筒状の開口４５が形成されており、この開口４５内にプラグ部２５の一端側が嵌合されて前記第二の軸線Ｌ２上で回転自在に保持されて設けられている。プラグ部２５の一端側の外周面に装着されているＯリング４６が中間スリーブ４０の開口４５の内周面に嵌合されることによって中間スリーブ４０とプラグ部２５との中空内が連通されるとともに、中間スリーブ４０の開口４５の内周面とプラグ部２５の外周面に形成された環状溝４７、４８内にスチールボールを配置させることによってプラグ部２５を中間スリーブ４０に対して自由に回転可能な状態に保持させている。
【００１９】
図７に示すように、エンドキャップ２０を釘打機１のグリップ部１２の端部に装着した状態で、釘打機１のグリップ部１２の後方側に突出されて配置されるプラグ部２５の端部には前記第二の軸線Ｌ２と所定角度で傾斜された第三の軸線Ｌ３方向に延びたニップル部４９が形成されており、このニップル部４９にエアホースの端部に装着されているソケットと着脱されるエアプラグ５０等が取り付けられるようにされている。このように、所定角度傾斜させたニップル部４９を形成したプラグ部２５を、グリップ部１２の後方側に延びた第一の軸線Ｌ１上で回転可能に保持されている中間体３８を介して、前記第一の軸線Ｌ１と傾斜した第２の軸線Ｌ２上で回転自在にプラグハウジング３７に取り付けることによって、ニップル部４９に取り付けたエアプラグ５０が所定の角度範囲で任意の角度方向へ揺動できるようにされた自在回転継ぎ手を構成している。
【００２０】
ニップル部４９にエアプラグ５０を取り付けたプラグ部２５を、このプラグ部２５を保持している前記中間スリーブ４０の開口４５内で前記第二の軸線Ｌ２上で回転させることによって、図８に示すようにエアプラグ５０は前記第二の軸線Ｌ２を中心としてニップル部４９のなす角度の範囲で揺動回転することが可能となり、更に、図９に示すように、プラグ部２５を支持している中間スリーブ４０をプラグハウジング３７に対して前記第一の軸線Ｌ１上で回転させることによってエアプラグ５０は第一の軸線Ｌ１に対して第二の軸線Ｌ２がなす角度と前記第二の軸線Ｌ２に対してニップル部４９が延びている第三の軸線Ｌ３のなす角度の合計した角度の範囲で前記第一の軸線を中心として自由な位置に揺動回転することが可能となる。なお、この実施例では、前記第一の軸線Ｌ１と第二の軸線Ｌ２のなす角度と、第二の軸Ｌ２線と第三の軸線Ｌ３のなす角度とがともにほぼ２２．５度に設定しており、これによってエアプラグ５０が第一の軸線Ｌ１を中心として９０度の角度範囲で揺動回転することが可能にされている。このように、エアプラグ５０が所定の角度範囲で自由な方向に揺動作動することが可能となって、圧縮空気供給源とエアホースによって接続して使用される釘打機１の操作方向が自由となって釘打ち作業の作業性を改善することができる。
【００２１】
前記プラグハウジング３７の後端部の近くの外周面には鍔部５１が形成されており、この鍔部５１より後方側の部分がエンドキャップ２０の後方側に露出されるだけで、他の部分は全てエンドキャップ２０に形成されているスリーブ状の開口２６内に配置される。なお、プラグハウジング３７の前記鍔部５１の後方側部分の外周面にはプラグハウジング３７をエンドキャップに対して装着又は取り外し操作する際にスパナ等の工具と係合させてプラグハウジング３７を回転させるための二面幅５２が形成されている。図１０に示すように、プラグハウジング３７をエンドキャップ２０から取り外すことによって、フィルタケース２８内に収容されている防塵フィルタ２７を交換することができる。そして、前記プラグハウジング３７によって回転自在に保持されている中間スリーブ４０の殆どの部分が前記プラグハウジング３７の開口３８と凹部３９内に収容されて配置されている。そして、エンドキャップ２０の後方側へ突出されるのはプラグ部２５のエアプラグを装着するニップル部４９だけとなるので、上記構成の自在回転継ぎ手の全長が小さくでき、圧縮空気工具の操作性を改善できる。
【実施例２】
【００２２】
上記実施例では、プラグ部２５にエアプラグ５０を装着するための雌ネジ加工がされたニップル部４９を形成したものを説明したが、図１１に示すように一端側が中間スリーブ４０に対して回転可能に保持されているプラグ部２５の他方の端部に、エアホースの端部に装着されているソケットに着脱可能に装着できるようにしたエアプラグ５３を一体に形成してもよい。このようにプラグ部２５にエアプラグ５３を一体に形成することによって、更にエアプラグ５３の後方への突出長さを短くさせることができ、更に操作性を改善させることができる。
【００２３】
上記実施例では、エンドキャップ２０に自在回転継ぎ手機構と防塵フィルタ装置２４及びリリーフバルブ機構３３とを形成したものであるが、防塵フィルタ装置２４やリリーフバルブ機構３３はこれらの機能が必要でないない場合には省略してもよい。
【図面の簡単な説明】
【００２４】
【図１】本発明のエンドキャップを装着した釘打機の縦断側面
【図２】釘打機から取り外した状態のエンドキャップ部の斜視図
【図３】図２と同じエンドキャップ部の背面図
【図４】図３におけるＡ−Ａ線上の断面図
【図５】図３におけるＢ−Ｂ線上の断面図
【図６】エンドキャップ部を構成している部材の分解斜視図
【図７】釘打機に装着されたエンドキャップ部の縦断側面図
【図８】プラグ部を中間スリーブに対して回転させたときのエアプラグの揺動状態を示す縦断側面図
【図９】中間スリーブをプラグハウジングに対して回転させたときのエアプラグの揺動状態を示す縦断側面図
【図１０】フィルタを交換するためプラグハウジングをエンドキャップから取り外した状態の縦断側面図
【図１１】他の実施例にかかるエンドキャップ部の縦断側面図
【符号の説明】
【００２５】
１  釘打機（圧縮空気工具）
２０  エンドキャップ
２５  プラグ部
２６  開口
３７  プラグハウジング
３８  開口
４０  中間スリーブ
４５  開口
４９  ニップル部
５０  エアプラグ
【図１】
2005219194.tif 000003
【図２】
2005219194.tif 000004
【図３】
2005219194.tif 000005
【図４】
2005219194.tif 000006
【図５】
2005219194.tif 000007
【図６】
2005219194.tif 000008
【図７】
2005219194.tif 000009
【図８】
2005219194.tif 000010
【図９】
2005219194.tif 000011
【図１０】
2005219194.tif 000012
【図１１】
2005219194.tif 000013